(57)【要約】【課題】読取部による読取処理が完了するまでの間、読取画像データのライン数が確定しない場合であっても、良好に読取画像データを変換できる画像形成装置を提供する。【解決手段】スキャナ２１で読み取られた読取ラインデータは、拡張ボード６０に送信されて拡張側ＲＡＭ６２に順次格納される。拡張ボード６０が読取ラインデータが受信すると、属性情報操作部６６は、マーカ部を作成し、拡張側ＲＡＭ６２に格納する。変換部６５は、所定数の読取ラインデータ毎に変換処理を実行する。変換済みラインデータは、本体部１０に送信され、画像メモリ１６に順次格納される。変換処理が完了した時点において、属性情報操作部６６は、拡張側ＲＡＭ６２のマーカ部のライン数を修正し、修正後のマーカ部を本体部１０に送信する。結合部７１は、修正後のマーカ部と、画像メモリ１６に格納された複数の変換済みラインデータを結合して変換済み画像データを作成する。【選択図】図１
2006352740.tif 000002
【特許請求の範囲】
【請求項１】
(a)  画像データをライン毎に読み取るとともに、読み取られた１または２以上のラインデータを第１記憶部に順次格納する読取部と、
(b)  前記第１記憶部に格納されたラインデータにつき、複数のラインデータ毎にデータ量を減少させる処理を実行するとともに、１または２以上の変換済みラインデータを第２記憶部に順次格納する変換部と、
(c)  変換済みラインデータに基づいて作成される変換済み画像データの属性情報を作成する作成部と、
(d)  前記読取部によって読み取られた画像データのライン数に基づいて、前記作成部で作成された属性情報を修正する修正部と、
(e)  前記第２記憶部に格納された複数の変換済みラインデータと、前記修正部によって修正された属性情報とを結合させて変換済み画像データを作成する結合部と、
を備えることを特徴とする画像形成装置。
【請求項２】
請求項１に記載の画像形成装置において、
前記読取部、前記第２記憶部、および前記結合部は、前記装置の本体部に設けられており、
前記作成部、前記変換部、前記第１記憶部、および前記修正部は、前記装置から着脱可能な拡張部に設けられていることを特徴とする画像形成装置。
【請求項３】
請求項１または請求項２に記載の画像形成装置において、
前記結合部は、前記属性情報が前記変換済み画像データの先頭領域に格納されるように、前記複数の変換済み画像データおよび前記属性情報を結合させることを特徴とする画像形成装置。
【請求項４】
請求項１ないし請求項３のいずれかに記載の画像形成装置において、
前記変換部は、前記読取部から読み取られた画像データをＪＰＥＧ形式によって圧縮することを特徴とする画像形成装置。
【発明の詳細な説明】
【技術分野】
【０００１】
本発明は、画像形成装置に関するもので、特に、読取部によって読み取られた画像データを変換する処理の改良に関する。
【背景技術】
【０００２】
スキャナ等の読取部によって１ラインずつ取得された読取画像データを、一旦記憶部に格納するとともに、この格納された読取画像データをＪＰＥＧ（Joint Photographic Coding Experts Group）方式によって圧縮することは、本願出願時において周知慣用技術である。
【０００３】
また、ＪＰＥＧ方式によって圧縮処理を実行する場合において、圧縮済み画像データのライン数に関する情報を、この圧縮済み画像データの先頭領域の「ＳＯＦ」マーカでなく後方領域の「ＤＮＬ」マーカに格納する方法も、従来より知られている（例えば、特許文献１）。
【０００４】
【特許文献１】特開２００３−２０９６３９号公報
【発明の開示】
【発明が解決しようとする課題】
【０００５】
しかし、上述の周知慣用技術によって圧縮処理を実行する場合、読取画像データのデータサイズが増大すると、それに応じて記憶部の容量を増大させる必要があり、その結果、画像形成装置の製造コストが増大するといった問題が生ずる。
【０００６】
ここで、通常のＪＰＥＧ方式によって圧縮された圧縮済み画像データは、特許文献１のものとは異なり、（１）圧縮された画像データ自体が格納される画像データ部と、（２）圧縮済み画像データの先頭領域に確保されており、圧縮された画像データの属性情報が格納される属性格納部と、を有する。ライン数は、属性情報として、この先頭領域に格納される。そして圧縮された画像データ自体は、先頭領域に続いて確保された画像データ部に格納される。したがって、圧縮された画像データが画像データ部に格納された後においては、属性格納部に格納されたライン数を容易に修正することができなくなる。
【０００７】
これに対して、特許文献１の方法では、圧縮された画像データを画像データ部に格納した後おいて、画像データ部に続く後尾領域に確保された「ＤＮＬ」マーカにライン数を格納することができる。すなわち、長尺原稿のように読取処理が完了するまで読取画像データのライン数が確定しない場合であっても、読取処理と圧縮処理とを並列実行することができ、その後に、圧縮済み画像データの「ＤＮＬ」マーカにライン数を格納することができる。そのため、圧縮処理に先だって読取画像データのすべてを記憶部に格納する必要がなく、上述の「画像形成装置の製造コストが増大する」という問題を解消することができる。
【０００８】
しかしながら、特許文献１の方法では、通常の圧縮済み画像データとは異なったデータ構造を有するため、すべてのアプリケーションソフトで圧縮済み画像データを取り扱うことができないという問題が新たに発生する。
【０００９】
そこで、本発明では、読取部による読取処理が完了するまでの間、読取画像データのライン数が確定しない場合であっても、良好にこの読取画像データを変換することができる画像形成装置を提供することを目的とする。
【課題を解決するための手段】
【００１０】
上記課題を解決するため、請求項１の発明は、画像データをライン毎に読み取るとともに、読み取られた１または２以上のラインデータを第１記憶部に順次格納する読取部と、前記第１記憶部に格納されたラインデータにつき、複数のラインデータ毎にデータ量を減少させる処理を実行するとともに、１または２以上の変換済みラインデータを第２記憶部に順次格納する変換部と、変換済みラインデータに基づいて作成される変換済み画像データの属性情報を作成する作成部と、前記読取部によって読み取られた画像データのライン数に基づいて、前記作成部で作成された属性情報を修正する修正部と、前記第２記憶部に格納された複数の変換済みラインデータと、前記修正部によって修正された属性情報とを結合させて変換済み画像データを作成する結合部と、を備えることを特徴とする。
【００１１】
また、請求項２の発明は、請求項１に記載の画像形成装置において、前記読取部、前記第２記憶部、および前記結合部は、前記装置の本体部に設けられており、前記作成部、前記変換部、前記第１記憶部、および前記修正部は、前記装置から着脱可能な拡張部に設けられていることを特徴とする。
【００１２】
また、請求項３の発明は、請求項１または請求項２に記載の画像形成装置において、前記結合部は、前記属性情報が前記変換済み画像データの先頭領域に格納されるように、前記複数の変換済み画像データおよび前記属性情報を結合させることを特徴とする。
【００１３】
また、請求項４の発明は、請求項１ないし請求項３のいずれかに記載の画像形成装置において、前記変換部は、前記読取部から読み取られた画像データをＪＰＥＧ形式によって圧縮することを特徴とする。
【発明の効果】
【００１４】
請求項１から請求項４に記載の発明によれば、ライン数が確定しない画像データを読み取る場合において読取処理が完了するまでの間、第１記憶部に順次格納された複数のラインデータ（画像データの一部）を順次変換しつつ、変換済みラインデータを第２記憶部に格納することができる。これにより、画像データを構成するすべてのラインデータを取得することなく、画像データの変換処理を実行することができる。そのため、第１記憶部で必要とされる記憶容量を減少させることができ、画像形成装置の製造コストを低減させることができる。
【００１５】
特に、請求項２に記載の発明によれば、作成部、変換部、第１記憶部、および前記修正部を画像形成装置から着脱可能な拡張部に設けることができる。そのため、読取処理が完了するまでの間ライン数が確定しない画像データを読み取って複数の変換済みラインデータを作成する処理を、画像形成装置の付加的機能として画像形成装置の使用者に提供することが可能となる。また、第１記憶部の記憶容量を低減させることができるため、拡張部の製造コストを低減させることができる。
【発明を実施するための最良の形態】
【００１６】
以下、図面を参照しつつ本発明の実施の形態について詳細に説明する。
【００１７】
＜１．画像形成装置の構成＞
図１は、本発明の実施の形態における画像形成装置１の構成の一例を示す図である。ここで、画像形成装置１は、プリンタ、複写機、ファクシミリ、またはこれらの機能を複合させた装置である。図１に示すように、画像形成装置１は、主として、本体部１０と、拡張ボード６０と、を備える。
【００１８】
まず、本体部１０について説明する。本体部１０は、プリント機能や画像入力機能のように画像形成装置１の主要な機能を提供する。図１に示すように本体部１０は、主として、スキャナ２１、モデム３２、画像メモリ１６、および結合部７１を有する。
【００１９】
スキャナ２１は、画像データの読取処理を実行する読取部として使用される。スキャナ２１によって１ライン毎に読み取られたラインデータのうち、白黒（Ｂ／Ｗ）ラインデータはモノクロ画像処理部２２に、ＲＧＢラインデータはカラー画像処理部２３に、それぞれ入力され、所定の画像処理が施される。そして、これら画像処理が施された白黒およびＲＧＢラインデータ（以下、単に、「読取ラインデータ」と呼ぶ）は、一旦ラインメモリ２４に格納された後、１または２以上のライン毎に拡張ボード６０に順次送信される。
【００２０】
モデム３２は、画像メモリ１６に格納されたデジタルデータ（例えば、後述する変換済み画像データ）を音声信号に変換したり、画像形成装置１の外部から送信される音声データをデジタルデータに変換する。ＮＣＵ３１は、公衆電話交換回線網に画像形成装置１を接続する際に必要となる機器であり、発着信やダイヤル制御を行う。
【００２１】
プリント用ＣＯＤＥＣ４３は、画像メモリ１６に格納された画像データを復号（伸張）する。プリント用ＣＯＤＥＣ４３で復号され、シリアルのデータ列としてプリンタ４４に出力されることにより、画像メモリ１６に格納された画像データは用紙に印刷される。
【００２２】
操作パネル５１は、いわゆる液晶ディスプレイによって構成されており、指や専用のペンで画面に触れることによって画面上の位置を指定することができる「タッチパネル」としての機能を有する。したがって、使用者は、操作パネル５１に表示された内容に基づき、操作パネル５１の「タッチパネル」機能を使用した指示を行うことにより、画像形成装置１に対して所定の動作を実行させることができる。このように、操作パネル５１は、画像形成装置１に所定のデータの入力するための入力部としても使用される。
【００２３】
また、結合部７１は、変換部６５によって変換された複数の変換済みラインデータと、属性情報操作部６６で作成および修正されたマーカ部８９とから変換済み画像データを作成する。
【００２４】
本体側ＲＡＭ１２は、読み書き自在の不揮発性メモリである。また、画像メモリ１６（第２記憶部）は、読み書き自在のメモリであり、例えば、結合部７１で作成された変換済み画像データ、およびモデム３２を介して画像形成装置１に入力された画像データ等が格納される。
【００２５】
本体側ＲＯＭ１３は、読出し専用メモリーであり、本体側ＭＰＵ（Micro Processing Unit）１１は、本体側ＲＯＭ１３に格納されたプログラムに従った制御を実行する。また、本体側ＭＰＵ１１は、本体側ＲＯＭ１３、画像メモリ１６、モノクロ画像処理部２２、カラー画像処理部２３、拡張ボード６０、および結合部７１等と信号線１５を介して電気的に接続されている。
【００２６】
したがって、本体側ＭＰＵ１１は、このプログラムに従って、例えば、拡張ボード６０側に読取ラインデータを送信する処理や、画像メモリ１６に変換済み画像データを格納する処理等を所定のタイミングで実行する。
【００２７】
なお、本実施の形態において、本体部１０の動作を制御するプログラムは本体側ＲＯＭ１３に格納されているが、これに限定されるものでない。例えば、読み書き自在の不揮発性メモリであるフラッシュメモリに、当該プログラムを格納してもよい。
【００２８】
次に、拡張ボード６０について説明する。拡張ボード６０は、本体部１０に対して着脱可能に設けられており、本体部１０の機能を拡張するボードである。具体的に言うと、拡張ボード６０は、スキャナ２１によって読み取られた読取画像データに対して、データ量を減少させる処理（本実施の形態では、ＪＰＥＧ方式の圧縮処理）を実行する。図１に示すように、拡張ボード６０は、主として、拡張側ＲＡＭ６２、変換部６５、および属性情報操作部６６を有する。また、拡張ボード６０は、インタフェース部６７を介して本体部１０の信号線１５と電気的に接続されている。
【００２９】
拡張側ＲＡＭ６２（第１記憶部）は、読み書き自在の不揮発性メモリである。拡張側ＲＡＭ６２には、例えば、本体部１０側から送信される読取ラインデータが順次格納される。
【００３０】
変換部６５は、拡張側ＲＡＭ６２に格納されたＮ本（本実施の形態では８本）の読取ラインデータに対してＪＰＥＧ方式の圧縮処理を実行する。ここで、ＪＰＥＧ方式の圧縮処理では、まず、拡張側ＲＡＭ６２に格納された複数の読取ラインデータの色空間がＲＧＢからＹＣｂＣｒに変換され、必要に応じてＣｂおよびＣｒに関する情報を削減するダウンサンプリング処理が施される。次に、複数のラインデータの各Ｙ、Ｃｂ、およびＣｒにつき、各ブロック毎（Ｎ行Ｎ列）に離散コサイン変換（ＤＣＴ：Discrete Cosine Transform）が施される。続いて、離散コサイン変換によって変換されたデータは、量子化パラメータ行列によって量子化される。そして、量子化されたデータに対してハフマン符号化が施されることにより、変換済みラインデータが生成される。
【００３１】
本実施の形態では、このような圧縮処理をすべての読取ラインデータに対して施すことにより、読取画像データを圧縮することができる。
【００３２】
また、変換部６５は、拡張側ＲＡＭ６２に格納された変換済みラインデータのデータ量が所定値（本実施の形態ではデータ量が５１２キロバイト）以上となった場合、この変換済みラインデータを本体部１０の画像メモリ１６に送信する処理も実行する。
【００３３】
図２は、変換済み画像データ８０のデータ構造の一例を示す図である。図３は、操作パネル５１に表示された変換済み画像データ８０の一例を示す図である。ここで、変換済み画像データ８０について説明する。
【００３４】
変換済み画像データ８０は、読取画像データに対して所定の変換処理（本実施の形態ではＪＰＥＧ方式の圧縮処理）が施されたデータであり、主として、変換済み画像データの属性情報が格納されるマーカ部（属性格納部）８９と、読取画像データを変換（圧縮）した画像データ自体が格納される符号データ８７とを有する。
【００３５】
図２に示すように、マーカ部８９は、主として、ＳＯＩ(Start Of Image)８１、ＡＰＰＬ(Application)８２、ＤＱＴ(Define Quantization Table)８３、ＤＨＴ(Define Huffman Table)８４、ＳＯＦ(Start Of Frame)８５、ＳＯＳ(Start Of Scan)８６、およびＥＯＩ(End Of Image)８８を有する。
【００３６】
ＳＯＩ８１には、変換済み画像データ８０の先頭部を示すデータが格納される。ＡＰＰＬ８２には、変換済み画像データ８０を取り扱うアプリケーション（ソフトウェア）固有のデータが格納される。ＤＱＴ８３には、量子化処理に使用される量子化パラメータ行列が格納される。ＤＨＴ８４には、ハフマン圧縮処理に使用されるハフマンテーブルが格納される。ＳＯＳ８６には、符号データ（変換済みの画像データ自体）８７の先頭を示すデータが格納される。
【００３７】
ＳＯＦ８５には、図２に示すように、主として、各画素のデータ量を示す画素ビット数８５ａと、変換済み画像データ８０のライン数８５ｂ、および１ラインあたりの画素数８５ｃ（図３参照）と、が格納される。
【００３８】
また、画像格納部８７は、読取画像データを変換した符号データが格納される領域であり、変換部６５によって変換された１または複数の変換済みラインデータが格納される。
【００３９】
属性情報操作部６６は、変換済み画像データの先頭領域に格納されるマーカ部８９を生成する処理を実行する。すなわち、本体部１０のスキャナ２１において読取処理が開始され、読み取られたラインデータが拡張ボード６０に送信されると、属性情報操作部６６は、マーカ部８９に格納されるデータのうち、ＥＯＩ８８以外のデータを生成し、拡張側ＲＡＭ６２に格納する。すなわち、属性情報操作部６６は、マーカ部８９を作成する作成部として使用される。
【００４０】
また、長尺原稿のように読取処理が完了するまでライン数が確定しない場合においては、属性情報操作部６６は、マーカ部８９に格納されるデータのうち、ＳＯＦ８５のライン数８５ｂおよびＥＯＩ８８以外のデータを生成し、拡張側ＲＡＭ６２に格納する。そして、読取処理が完了してライン数が確定した後に、属性情報操作部６６は、変換済み画像データのライン数に関するデータを作成し、このライン数に基づいて拡張側ＲＡＭ６２に格納されたマーカ部８９を修正する。すなわち、属性情報操作部６６は、マーカ部８９を修正する修正部としても使用される。
【００４１】
通信部６９は、送信データを複数のパケットデータとして送信するＬＡＮインターフェースである。これにより、ＬＡＮケーブル（図示省略）を介して接続された装置と画像形成装置１との間で、データの授受を行うことができる。
【００４２】
拡張側ＲＯＭ６３は、読出し専用メモリーであり、拡張側ＭＰＵ６１は、拡張側ＲＯＭ６３に格納されたプログラムに従った制御を実行する。また、拡張側ＭＰＵ６１は、拡張側ＲＡＭ６２、拡張側ＲＯＭ６３、変換部６５、および属性情報操作部６６等と信号線６９を介して電気的に接続されている。したがって、拡張側ＭＰＵ６１は、このプログラムに従って、例えば、読取画像データの変換処理や変換済みラインデータの送信処理等を所定のタイミングで実行する。
【００４３】
なお、本実施の形態において、拡張ボード６０の動作を制御するプログラムは拡張側ＲＯＭ６３に格納されているが、これに限定されるものでない。例えば、読み書き自在の不揮発性メモリであるフラッシュメモリに、当該プログラムを格納してもよい。
【００４４】
＜２．画像形成装置による読取画像データの圧縮手順＞
図４は、本体部１０における画像データの読取手順を示すフローチャートである。図５は、拡張ボード６０における読取画像データの変換（圧縮）処理の手順を示すフローチャートである。図６は、本体部１０における変換済み画像データの結合処理の手順を示すフローチャートである。
【００４５】
まず、図４に示す画像データの読取処理手順について説明する。なお、本手順では、長尺原稿のように読取処理が完了するまでの間、読取画像データのライン数が確定しないものを読取対象物としている。
【００４６】
ステップＳ１０１では、スキャナ２１によって読取対象物の画像データが複数のラインデータとして読み取られる。読み取られた読取ラインデータは、一旦ラインメモリ２４に格納された後に拡張ボード６０に送信される（Ｓ１０２）。
【００４７】
そして、読取処理が終了して、すべての読取ラインデータの取得が完了すると（Ｓ１０３）、本体部１０から拡張ボード６０に向けて読取終了信号が読取画像データのライン数とともに送信される（Ｓ１０４）。
【００４８】
次に、図５に示す読取画像データの変換処理手順について説明する。拡張ボード６０が本体部１０からの読取ラインデータを受信すると、属性情報操作部６６はマーカ部８９（属性情報）を作成し、拡張側ＲＡＭ６２に格納する（Ｓ２０１）。すなわち、マーカ部８９は、スキャナ２１による読取処理が開始された後であって、すべての読取ラインデータの変換処理が完了する前に作成される。
【００４９】
拡張ボード６０が受信した読取ラインデータのライン数が、変換部６５での変換処理に必要な所定数（本実施の形態では、８本）以上になると（Ｓ２０２）、変換部６５は、拡張側ＲＡＭ６２に格納された複数の読取ラインデータに対して変換処理を実行する（Ｓ２０３）。
【００５０】
なお、ステップＳ２０３において作成された変換済みラインデータは、一旦、拡張側ＲＡＭ６２に格納される。そして、拡張側ＲＡＭ６２に格納された変換済みラインデータのデータ量が所定値以上となった場合、この変換済みラインデータは、拡張ボード６０から本体部１０の画像メモリ１６に送信される。これらステップＳ２０２〜Ｓ２０４の処理は、本体部１０からの読取終了信号が受信されるまでの間、繰り返し実行される（Ｓ２０５）。
【００５１】
ここで、ステップＳ２０２の変換処理は、処理対象ラインを１ラインずつズラしつつ所定数の読取ラインデータ毎に実行される。また、変換処理の対象から外れた読取ラインデータは拡張側ＲＡＭ６２から削除される。さらに、拡張側ＲＡＭ６２には、その記憶容量が許す限り、新たな読取ラインデータが格納される。
【００５２】
このように、変換処理を実行する前の時点において、すべての読取ラインデータは、拡張ボード６０の拡張側ＲＡＭ６２に格納される必要がない。そのため、拡張側ＲＡＭ６２で必要とされる記憶容量を減少させることができ、拡張ボード６０、ひいては画像形成装置１の製造コストを低減させることができる。
【００５３】
ステップＳ２０５において本体部１０からの読取終了信号が読取画像データのライン数とともに受信されると、変換部６５は端数処理を実行する（Ｓ２０６）。ここで、端数処理とは、拡張側ＲＡＭ６２に格納されている読取ラインデータの本数が、変換処理に必要な所定数未満の場合に実行される処理である。例えば、端数処理として必要な所定数に不足する本数分のラインデータを拡張側ＲＡＭ６２に追加してもよい。これにより、変換部６５による変換処理の実行が可能となる。また、ステップＳ２０６の端数処理において新たな変換済みラインデータが作成された場合、その変換済みラインデータは、本体部１０に送信され、画像メモリ１６に格納される。
【００５４】
続いて、ステップＳ２０５において受信した読取画像データのライン数に基づき、変換済み画像データ８０のライン数が演算され、その演算値によってマーカ部８９が修正される（Ｓ２０７）。そして、修正されたマーカ部８９が本体部１０に送信されることにより（Ｓ２０８）、変換処理が完了する。
【００５５】
続いて、図６に示す結合処理手順について説明する。本体部１０が拡張ボード６０からの変換済みラインデータを受信すると（Ｓ３０１）、この変換済みラインデータは、画像メモリ１６に順次格納される（Ｓ３０２）。なお、ステップＳ３０１、Ｓ３０２の処理は、拡張ボード６０からのマーカ部８９を受信するまで続けられる（Ｓ３０３）。
【００５６】
ステップＳ３０３において本体部１０が拡張ボード６０からのマーカ部８９を受信すると、本体側ＭＰＵ１１はすべての変換処理が終了したと判断して結合処理を実行する（Ｓ３０４）。
【００５７】
具体的には、受信したすべて変換済みラインデータは、結合部７１によって受信された順番に結合される。この結合されたラインデータは、画像データ格納部８７（図２参照）を構成する。また、結合されたラインデータの先頭側には、拡張ボード６０から送信されたマーカ部８９が結合される。そして、結合されたラインデータの後尾側部に、ＥＯＩ８８が付加されることにより、変換済み画像データが完成させられる（図２参照）。
【００５８】
このように、本実施の形態では、画像メモリ１６に格納された複数の変換済みラインデータと、属性情報操作部６６で修正されたマーカ部８９とが結合されて変換済み画像データが作成される。すなわち、図２に示すように、変換済み画像データ８０の先頭領域には、属性情報操作部６６で修正されたマーカ部８９が格納される。そのため、拡張側ＲＡＭ６２の記憶容量を増大させることなく、汎用性の高い変換済み画像データを作成することができる。
【００５９】
＜３．本実施の形態の画像形成装置の利点＞
以上のように、本実施の形態の画像形成装置１は、読取処理が完了するまでライン数が確定しない画像データを読み取る場合において読取処理が完了するまでの間、スキャナ２１による読取ラインデータの取得処理を実行しつつ、変換部６５による変換処理を実行できる。これにより、すべて読取ラインデータを取得することなく変換処理を実行することができる。そのため、拡張側ＲＡＭ６２で必要とされる記憶容量を減少させることができ、拡張ボード６０ひいては画像形成装置１の製造コストを低減させることができる。
【００６０】
また、画像形成装置１は、読取処理が完了するまでライン数が確定しない画像データを読み取る場合であっても、変換済み画像データの先頭領域にライン数を格納することができる。そのため、拡張側ＲＡＭ６２の記憶容量を増大させることなく、汎用性の高い変換済み画像データを作成することができる。
【００６１】
＜４．変形例＞
以上、本発明の実施の形態について説明してきたが、本発明は上記実施の形態に限定されるものではなく様々な変形が可能である。
【００６２】
（１）本実施の形態のマーカ部８９は、スキャナ２１による読取処理が開始された後であって、すべての読取ラインデータの変換処理が完了する前に作成されているが、マーカ部８９の作成されるタイミングはこれに限定されるものでない。例えば、読取処理が開始される前の時点においてマーカ部８９の雛型を予め作成しておき、この雛型を修正してもよい。また、すべての読取ラインデータへの変換処理が完了した後においてマーカ部８９を作成してもよい。
【００６３】
（２）また、本実施の形態の読取画像データの変換処理において、変換済みラインデータは、一旦拡張側ＲＡＭ６２に格納された後、格納されたデータ量が所定値以上となった場合に本体部１０に向けて送信されるているが、送信手法はこれに限定されるものでない。例えば、拡張側ＲＡＭ６２に格納された変換済みラインデータのライン数を基準として送信タイミングを決定してもよい。また、拡張側ＲＡＭ６２に一旦格納することなく本体部１０に変換済みラインデータを送信する手法を採用してもよい。
【図面の簡単な説明】
【００６４】
【図１】本発明の実施の形態における画像形成装置の構成の一例を示す図である。
【図２】変換済み画像データのデータ構造の一例を示す図である。
【図３】操作パネルに表示された変換済み画像データの一例を示す図である。
【図４】本体部における画像データの読取処理の手順を示すフローチャートである。
【図５】拡張ボードにおける画像データの変換処理の手順を示すフローチャートである。
【図６】本体部における変換済み画像データの結合処理の手順を示すフローチャートである。
【符号の説明】
【００６５】
１  画像形成装置
１０  本体部
１１  本体側ＭＰＵ
１２  本体側ＲＡＭ
１３  本体側ＲＯＭ
１６  画像メモリ
２１  スキャナ
６０  拡張ボード
６１  拡張側ＭＰＵ
６２  拡張側ＲＡＭ
６３  拡張側ＲＯＭ
６５  変換部
６６  属性情報操作部
７１  結合部
８０  変換済み画像データ
８５ｂ  ライン数
【図１】
2006352740.tif 000003
【図２】
2006352740.tif 000004
【図３】
2006352740.tif 000005
【図４】
2006352740.tif 000006
【図５】
2006352740.tif 000007
【図６】
2006352740.tif 000008